(57)【要約】【課題】  スクリーンに生じる照度ムラを簡易に解消することができるプロジェクタを提供すること。【解決手段】  色分割光学系２３によって色分割された照明光は、各液晶ライトバルブ２５ａ〜２５ｃを経て各色ごとに変調される。各液晶ライトバルブ２５ａ〜２５ｃから射出した像光は、光合成光学系２７で合成され、投射レンズ２９によって透過型スクリーン部材１８の本体部分４０に投影される。ここで、本体部分４０を構成するフレネルレンズシート４１の裏面に反射防止膜４１ａを形成して、像光の倍率分布を相殺するような透過率の補正を行っているので、透過型スクリーン部材１８のホワイトレベルにおける照度分布を均一化することができる。よって、透過型スクリーン部材１８の表側では、輝度むらの少ない高品位の画像を観察することができる。【選択図】    図１
2005106983.tif 000002
【特許請求の範囲】
【請求項１】
表示装置からの像光を投射する投射光学系と、
前記投射光学系からの像光が投射される透過型スクリーンと、
前記透過型スクリーンに形成されて当該透過型スクリーンのホワイトレベルにおける照度分布を相殺するような透過率分布を実現する透過率調整手段と、
を備えるプロジェクタ。
【請求項２】
前記透過率調整手段は、前記透過型スクリーンの入射側、射出側、及び内部の何れかに形成された反射防止膜であることを特徴とする請求項１記載のプロジェクタ。
【請求項３】
前記反射防止膜の反射特性は、当該反射防止膜に入射する像光の入射角範囲を考慮して設定されていることを特徴とする請求項２記載のプロジェクタ。
【請求項４】
前記透過型スクリーンは、前記投射光学系の光軸に対し傾斜した状態で配置される請求項１から請求項３の何れか一項記載のプロジェクタ。
【請求項５】
前記投射光学系は、前記透過型スクリーンに部分的に拡大率の異なる像を投影することを特徴とする請求項１から請求項４の何れか一項記載のプロジェクタ。
【請求項６】
前記透過率調整手段は、膜厚分布が異なる少なくとも１層の薄膜層若しくは膜構成の異なる複数の薄膜層からなることを特徴とする請求項１から請求項５の何れか一項記載のプロジェクタ。
【請求項７】
前記透過型スクリーンは、フレネルレンズを有することを特徴とする請求項１から請求項６のいずれか一項記載のプロジェクタ。
【請求項８】
前記透過型スクリーンは、レンチキュラレンズシートを有することを特徴とする請求項７記載のプロジェクタ。
【請求項９】
前記表示装置は、各色の照明光を個別に変調する各色ごとの空間光変調装置を有し、
光源から射出された光源光を各色の照明光に分割するとともに、各色ごとに設けた各色の照明光によって各色の空間光変調装置をそれぞれ照明する色分割照明光学系と、各色の空間光変調装置からの各色の像光を合成して前記投射光学系に入射させる光合成部材とをさらに備えることを特徴とする請求項１から請求項８のいずれか一項記載のプロジェクタ。
【請求項１０】
前記表示装置は、照明光を変調する空間光変調装置を有し、
光源から射出された光源光によって前記空間光変調装置を照明する照明光学系をさらに備えることを特徴とする請求項１から請求項８のいずれか一項記載のプロジェクタ。
【発明の詳細な説明】
【技術分野】
【０００１】
本発明は、液晶表示パネル等の表示装置を用いて画像を投射するプロジェクタに関する。
【背景技術】
【０００２】
背面投射型の立体プロジェクションシステムとして、反射防止コートを設けたスクリーンを備え、かかる反射防止コートの厚さを像光の入射角に応じて調節するものが存在する（特許文献１参照）。このような立体プロジェクションシステムによれば、フレネルレンズ内での偏光発生がなくなり、フレネルレンズの射出側に設けたＡＲコートからの射出光が偏光軸のずれたものになることを防止できるので、分離度の悪化を回避して画像の劣化を防止することができる。
【特許文献１】特開平７−３２２３０３号公報
【発明の開示】
【発明が解決しようとする課題】
【０００３】
しかし、上述の立体プロジェクションシステムは、偏光方向の異なる一対の射出光について偏光軸のずれを防止し、分離度の向上によって明確な立体画像を形成するものであり、例えば投射画像の拡大率分布が異なる場合のように、スクリーンの照度ムラすなわちホワイトレベルの分布において不均一が存在する場合、投射画像の劣化を回避することができない。
【０００４】
そこで、本発明は、スクリーンに生じる照度ムラを簡易に解消することができるプロジェクタを提供することを目的とする。
【課題を解決するための手段】
【０００５】
上記課題を解決するため、本発明に係るプロジェクタは、（ａ）表示装置からの像光を投射する投射光学系と、（ｂ）投射光学系からの像光が投射される透過型スクリーンと、（ｃ）透過型スクリーンに形成されて透過型スクリーンのホワイトレベルにおける照度分布を相殺するような透過率分布を実現する透過率調整手段とを備える。
【０００６】
上記プロジェクタでは、透過型スクリーンに形成された透過率調整手段が透過型スクリーンにおけるホワイトレベルでの照度分布を相殺するような透過率分布を実現するので、透過型スクリーンを照明した場合において照明の不均一が生じた場合であっても、結果的に投射される画像のホワイトレベルにおける照度分布を直接的に精密に均一化することができる。
【０００７】
また、本発明の具体的な態様においては、透過率調整手段が、透過型スクリーンの入射側、射出側、及び内部の何れかに形成された反射防止膜である。この場合、透過率調整手段を反射防止膜として透過型スクリーンの位置に簡易に組み込むことができるとともに、目的とするホワイトレベルを簡易かつ正確に達成することができる。
【０００８】
また、本発明の別の具体的な態様においては、反射防止膜の反射特性が、当該反射防止膜に入射する像光の入射角範囲を考慮して設定されている。この場合、透過型スクリーンの各部における反射率をさらに精密に制御することができ、輝度むらを高精度に低減した画像を投射することができる。
【０００９】
また、本発明の具体的な態様においては、透過型スクリーンが、投射光学系の光軸に対し傾斜した状態で配置される。この場合、投射光学系からの像光が基本的に傾いた状態で透過型スクリーンに入射するとともに、一般には、スクリーンのうち投射光学系から離れた部分で入射光の光量が低下し、投射光学系に近い部分で入射光の光量が上昇することになる。このような照明不均一は、これを打ち消すような透過率分布を有する反射防止膜等の透過率調整手段によって相殺され、輝度むらの少ない高品位の画像を投射することができる。
【００１０】
また、本発明の別の具体的な態様においては、投射光学系が、透過型スクリーンに部分的に拡大率の異なる像を投影する。この場合、一般には、倍率が大きな部分で入射光の照度が低下し、倍率が小さな部分で入射光の照度が上昇するが、このような照明不均一は、これを打ち消すような透過率分布を有する反射防止膜等の透過率調整手段によって相殺され、輝度むらの少ない高画質の画像を投射することができる。なお、例えば透過型スクリーンが投射光学系の光軸に対し傾斜した結果として透過型スクリーンに部分的に拡大率の異なる像が投影される場合、投射光学系に近い側のスクリーン部分で投影像の倍率が小さくなって入射光の光量が増加するとともに、投射光学系から遠い側のスクリーン部分で投影像の倍率が大きくなって入射光の光量が低下する。
【００１１】
また、本発明の別の具体的な態様においては、透過率調整手段が、膜厚分布が異なる少なくとも１層の薄膜層若しくは膜構成の異なる複数の薄膜層からなる。この場合、反射防止膜の膜厚分布の制御やこれを構成する薄膜層の数等の制御によって透過型スクリーンの各部における反射率を制御することができ、輝度むらを確実に低減した画像を投射することができる。
【００１２】
また、本発明の別の具体的な態様においては、透過型スクリーンが、フレネルレンズを有する。この場合、透過型スクリーンの各部に入射した像光を正面方向に集めて射出させることができ、例えば透過型スクリーンの周辺での減光を確実に防止することができる。
【００１３】
また、本発明の別の具体的な態様においては、透過型スクリーンが、レンチキュラレンズシートを有する。この場合、視野角の範囲を所望の範囲に設定しつつ輝度むらの少ない高品位の画像を投射することができる。
【００１４】
また、本発明の別の具体的な態様においては、表示装置が、（ａ）各色の照明光を個別に変調する各色ごとの空間光変調装置を有し、（ｂ）光源から射出された光源光を各色の照明光に分割するとともに、各色ごとに設けた各色の照明光によって各色の空間光変調装置をそれぞれ照明する色分割照明光学系と、各色の空間光変調装置からの各色の像光を合成して投射光学系に入射させる光合成部材とをさらに備える。
【００１５】
この場合、光源からの光源光が色分割光学系を経て各色の照明光に分割され、各色の空間光変調装置で各色の像光に変調された後に光合成部材によって各色ごとに合成され、投射光学系を経て合成後の像光が透過型スクリーン装置上に投射される。この際、透過型スクリーンのホワイトレベルにおける照度分布を相殺するような透過率分布を実現する透過率調整手段を設けているので、投射されるカラー画像のホワイトレベルにおける照度分布を均一化することができる。
【００１６】
また、本発明の別の具体的な態様においては、表示装置が、（ａ）照明光を変調する空間光変調装置を有し、（ｂ）光源から射出された光源光によって空間光変調装置を照明する照明光学系をさらに備える。
【００１７】
この場合、光源からの光源光が空間光変調装置で像光に変調された後に、投射光学系を経て合成後の像光が透過型スクリーン装置上に投射される。この際、透過型スクリーンのホワイトレベルにおける照度分布を相殺するような透過率分布を実現する透過率調整手段を設けているので、投射される画像のホワイトレベルにおける照度分布を均一化することができる。
【発明を実施するための最良の形態】
【００１８】
〔第１実施形態〕
図１は、本発明の第１実施形態に係るプロジェクタの全体構造を説明する側面図である。このプロジェクタ１０は、背面投写によって画像を表示するリアプロジェクションタイプの装置であり、筐体であるケース１２の底部にプロジェクタ本体１４を備え、ケース１２内の背面側上部に反射ミラー１６を備え、ケース１２正面に透過型スクリーン部材１８を備える。プロジェクタ本体１４から射出された像光は、光軸ＯＡ１にほぼ沿って後方斜め上に進行し、反射ミラー１６で光軸ＯＡ２方向にほぼ沿って正面側に折り曲げられて、透過型スクリーン部材１８に設けたスクリーン部分に入射する。つまり、プロジェクタ本体１４からの像光は、全体として傾いた状態で透過型スクリーン部材１８に入射する。なお、これらプロジェクタ本体１４、反射ミラー１６、及び透過型スクリーン部材１８は、不図示の手段によってケース１２内に位置決めして固定されている。
【００１９】
図２は、図１に示すプロジェクタ本体１４の構造を説明する図である。このプロジェクタ本体１４は、光源光を発生する光源装置２１と、光源装置２１からの光源光をＲＧＢの３色に分割する色分割光学系２３と、色分割光学系２３から射出された各色の照明光によってそれぞれ照明される３つの液晶ライトバルブ２５ａ〜２５ｃからなる光変調部２５と、光変調部２５からの各色の像光を合成するクロスダイクロイックプリズムである光合成光学系２７と、光合成光学系２７を経た像光を透過型スクリーン部材１８上に投射するための投射光学系である投射レンズ２９とを備える。
【００２０】
光源装置２１は、光源ランプ２１ａと、一対のフライアイ光学系２１ｂ，２１ｃと、偏光変換部材２１ｄと、重畳レンズ２１ｅとを備える。ここで、光源ランプ２１ａは、例えば高圧水銀ランプからなり、光源光をコリメートするための凹面鏡を備える。また、一対のフライアイ光学系２１ｂ，２１ｃは、マトリックス状に配置された複数の要素レンズからなり、これらの要素レンズによって光源ランプ２１ａからの光源光を分割して個別に集光・発散させる。偏光変換部材２１ｄは、フライアイ２１ｃから射出した光源光を図１の紙面に垂直なＳ偏光成分のみに変換して次段光学系に供給する。重畳レンズ２１ｅは、偏光変換部材２１ｄを経た照明光を全体として適宜収束させて、各色の空間光変調装置に対する重畳照明を可能にする。つまり、両フライアイ光学系２１ｂ，２１ｃと重畳レンズ２１ｅとを経た照明光は、以下に詳述する光分割光学系２３を経て、光変調部２５に設けられた各色の液晶ライトバルブ２５ａ〜２５ｃを均一に重畳照明する。
【００２１】
光分割光学系２３は、第１及び第２ダイクロイックミラー２３ａ，２３ｂと、３つのフィールドレンズ２３ｆ〜２３ｈと、反射ミラー２３ｉ，２３ｊ，２３ｋとを備え、光源装置２１とともに照明装置を構成する。第１ダイクロイックミラー２３ａは、ＲＧＢの３色のうちＲ光を反射しＧ光及びＢ光を透過させる。また、第２ダイクロイックミラー２３ｂは、ＧＢの２色のうちＧ光を反射しＢ光を透過させる。この光分割光学系２３において、第１ダイクロイックミラー２３ａで反射されたＲ光は、Ｓ偏光のまま、反射ミラー２３ｉを経て入射角度を調節するためのフィールドレンズ２３ｆに入射する。また、第１ダイクロイックミラー２３ａを通過して第２ダイクロイックミラー２３ｂで反射されたＧ光は、λ／２位相差板２３ｄを経てＳ偏光からＰ偏光に変換されてフィールドレンズ２３ｇに入射する。さらに、第２ダイクロイックミラー２３ｂを通過したＢ光は、Ｓ偏光のまま、光路差を補償するためのリレーレンズＬＬ１，ＬＬ２及び反射ミラー２３ｊ，２３ｋを経て入射角度を調節するためのフィールドレンズ２３ｈに入射する。
【００２２】
光変調部２５は、光変調用の３つの液晶ライトバルブ２５ａ〜２５ｃと、各液晶ライトバルブ２５ａ〜２５ｃを挟むように配置される３組の偏光フィルタ２５ｅ〜２５ｇとを備える。第１ダイクロイックミラー２３ａで反射されたＲ光は、フィールドレンズ２３ｆを介して液晶ライトバルブ２５ａに入射する。また、第１ダイクロイックミラー２３ａを透過して第２ダイクロイックミラー２３ｂで反射されたＧ光は、λ／２位相差板２３ｄ及びフィールドレンズ２３ｇを介して液晶ライトバルブ２５ｂに入射する。さらに、第１及び第２ダイクロイックミラー２３ａ，２３ｂの双方を透過したＢ光は、中間を省略するがフィールドレンズ２３ｈを介して液晶ライトバルブ２５ｃに入射する。各液晶ライトバルブ２５ａ〜２５ｃは、入射した照明光の空間的強度分布を変調する非発光型の空間光変調装置であり、各液晶ライトバルブ２５ａ〜２５ｃにそれぞれ入射した３色の照明光は、各液晶ライトバルブ２５ａ〜２５ｃに電気的信号として入力された駆動信号或いは画像信号に応じて変調される。その際、偏光フィルタ２５ｅ〜２５ｇによって、各液晶ライトバルブ２５ａ〜２５ｃに入射する照明光の偏光方向が調整されるとともに、各液晶ライトバルブ２５ａ〜２５ｃから射出される変調光から所定の偏光方向の変調光が取り出される。
【００２３】
クロスダイクロイックプリズム２７は、光合成部材であり、Ｒ光反射用の誘電体多層膜２７ａとＢ光反射用の誘電体多層膜２７ｂとを直交させた状態で内蔵するものであり、液晶ライトバルブ２５ａからのＲ光を誘電体多層膜２７ａで反射して進行方向右側に射出させ、液晶ライトバルブ２５ｂからのＧ光を誘電体多層膜２７ａ，２７ｂを介して直進・射出させ、液晶ライトバルブ２５ｃからのＢ光を誘電体多層膜２７ｂで反射して進行方向左側に射出させる。このようにして、クロスダイクロイックプリズム２７で重ね合わされた合成光は、透過型スクリーン部材１８（図１参照）に所望のサイズの画像を投射するための投射レンズ２９に入射する。
【００２４】
図３は、液晶ライトバルブ２５ａ〜２５ｃと透過型スクリーン部材１８との投影関係を説明する図である。図３（ａ）は、液晶ライトバルブ２５ａ〜２５ｃの表示領域ＤＡを示し、図３（ｂ）は、透過型スクリーン部材１８の投射領域ＰＡを示している。図からも明らかなように、液晶ライトバルブ２５ａ〜２５ｃ上に設けた台形の表示領域ＤＡを射出した像光が、透過型スクリーン部材１８上に設けた長方形の投射領域ＰＡに入射する。つまり、透過型スクリーン部材１８において、投射領域ＰＡの上部には相対的に拡大率の大きな拡大像が投射され、投射領域ＰＡの下部には相対的に拡大率の小さな拡大像が投射されることになる。この結果、各液晶ライトバルブ２５ａ〜２５ｃが均一に照明されている場合であっても、投射領域ＰＡの上部における照度（つまり、像光のホワイトレベル）が相対的に低下し、投射領域ＰＡの下部における照度（つまり、像光のホワイトレベル）が相対的に上昇する。ここで、表示領域ＤＡに当初から上部で縮小されて変形した画像を形成しておけば、投射領域ＰＡに歪みのない画像を投射することができる。なお、投射領域ＰＡにおいて、上述のような照度分布の勾配が生じる理由は、プロジェクタ本体１４からの像光が全体として傾いた状態で透過型スクリーン部材１８に入射することに起因する。つまり、透過型スクリーン部材１８が投射レンズ１９の光軸ＯＡ２に対して一定の傾きを有することに起因する。
【００２５】
図４は、透過型スクリーン部材１８の構造を概念的に説明する断面図である。透過型スクリーン部材１８は、図３（ｂ）の投射領域ＰＡに対応する本体部分４０を有し、この本体部分４０は、裏面の入射側に配置されるフレネルレンズシート４１と、中間に配置されるレンチキュラレンズシート４２と、正面の射出側に配置される保護用のフロントパネル４３とを積層した構造となっている。これらフレネルレンズシート４１、レンチキュラレンズシート４２、及びフロントパネル４３は、メタクリル樹脂、ポリエチレン等の透過性の良い材料を熱成形等によって加工することによって得たものであり、それぞれ０．５〜２ｍｍ程度の厚さを有する。なお、フレネルレンズシート４１は、これに入射した像光をスクリーン本体３３の法線にほぼ平行に折り曲げることによって、透過型スクリーン部材１８の正面側にいる観察者の方向に像光を集めることができ、本体部分４０周辺で減光が発生することを防止する。また、レンチキュラレンズシート４２は、像光を適当な発散角で射出させることができ、適当な視野角の設定によって観察者が見やすい画像を形成することができる。
【００２６】
これらのうち、前者のフレネルレンズシート４１の裏面には、透過率調整手段である反射防止膜４１ａが形成されている。この反射防止膜４１ａは、含浸法においてフレネルレンズシート４１の引き上げ速度を調節しつつ形成することができ、或いはスパッタリング、蒸着等の物理的成膜方法によって適宜マスクを併用しつつ形成することができる。反射防止膜４１ａは、本体部分４０に入射する像光が無駄に反射されるのを防止するために設けられており、基本的には本体部分４０への像光の入射角を考慮して反射率が設定されているが、さらに、本体部分４０に投射される像光の倍率の相対的分布を考慮した透過率の補正が与えられている。つまり、図３で説明したように、本体部分４０のうち比較的拡大率の大きな上側部分で入射光の強度が相対的に低下し、比較的拡大率の小さな下側部分で入射光の強度が相対的に低下するが、本体部分４０に上述のような透過特性の空間的分布を有する反射防止膜４１ａを形成することにより、このような照度不均一すなわち明るさのムラが反射防止膜４１ａによって打ち消され、透過型スクリーン部材１８のホワイトレベルにおける照度分布を均一化することができる。この結果、透過型スクリーン部材１８の正面側では、輝度むらの少ない高画質の画像を観察することができる。
【００２７】
図５は、透過型スクリーン部材１８すなわち本体部分４０に設けた反射防止膜４１ａの特性やその効果を概念的に説明するグラフである。このグラフの横軸は、投射像の倍率を示し、その縦軸は、明るさ（ｃｄ／ｍｍ−２）若しくは反射率（％）を示す。本実施形態の場合のように、液晶ライトバルブ２５ａ〜２５ｃの台形の表示領域ＤＡを透過型スクリーン部材１８の長方形の投射領域ＰＡに変形して投射する場合、倍率の小さい横軸左側が透過型スクリーン部材１８すなわち本体部分４０の下側に対応し、倍率の大きい横軸右側が透過型スクリーン部材１８の上側に対応する。つまり、実線で示す透過型スクリーン部材１８の裏面での反射率は、倍率の小さい領域である透過型スクリーン部材１８の本体部分４０の下側に向けて漸増する。これにより、透過型スクリーン部材１８の外側（正面）から観察される明るさは、投射倍率に依存しないものとなり、透過型スクリーン部材１８の下部においても透過型スクリーン部材１８の上部と同等の明るさを達成することができる（一点鎖線参照）。なお、透過型スクリーン部材１８に反射防止膜４１ａを設けなかった場合、透過型スクリーン部材１８の外側（正面）から観察される明るさは、透過型スクリーン部材１８のうち低倍率の下側から高倍率の上側に向けて漸減する（点線参照）。
【００２８】
グラフに示すような反射率分布は、例えば透過型スクリーン部材１８に形成する反射防止膜４１ａの膜厚を本体部分４０内の各点で変化させることによって行う。また、反射防止膜４１ａを多層膜で構成する場合、反射防止膜４１ａの構成膜数や各層の膜厚を本体部分４０内の各点で調節することによって行い得る。もっとも、本体部分４０内の各点で膜厚を制御することは必ずしも容易でないから、透過型スクリーン部材１８の本体部分４０を複数の部分領域に分けて、各部分領域の単位で透過率を調節することとしてもよい。具体的には、透過型スクリーン部材１８の本体部分４０を上下方向に関して例えば１０程度の帯状領域に分割し、各帯状領域の反射率を段階的に変化させれば、近似的に図５の実線で示すような反射特性を実現することができる。なお、以上は、反射防止膜４１ａによる反射率の制御によって透過型スクリーン部材１８の正面側における照度を調節し、投射画像のホワイトレベルの分布を制御しているが、かかる反射防止膜４１ａに代えて例えば吸収によって透過率を制御するような透過率分布を有するフィルタ等のフィルムを設けることもできる。
【００２９】
以下、図１等に示すプロジェクタ１０の動作について説明する。光源装置２１からの光源光は、色分割光学系２３によって色分割され、光変調部２５に設けた各色の液晶ライトバルブ２５ａ〜２５ｃに照明光としてそれぞれ入射する。各液晶ライトバルブ２５ａ〜２５ｃは、画像信号によって変調されて２次元的屈折率分布を有しており、照明光を２次元空間的に画素単位で変調する。このように、光変調部２５で各色ごとに変調された照明光すなわち像光は、光合成光学系２７で合成されて投射レンズ２９に入射する。投射レンズ２９に入射した像光は、透過型スクリーン部材１８の本体部分４０に投影される。ここで、本体部分４０を構成するフレネルレンズシート４１の裏面に反射防止膜４１ａを形成して、単に反射ロスを低減するだけでなく、像光の倍率分布の影響を相殺するように透過率の補正を行っているので、透過型スクリーン部材１８における照度分布すなわちホワイトレベルを均一化することができる。よって、透過型スクリーン部材１８の表側では、輝度むらの少ない高品位の画像を観察することができる。
【００３０】
〔第２実施形態〕
図６は、第２実施形態に係るプロジェクタにおける透過型スクリーン部材の構造を概念的に説明する断面図である。第２実施形態の透過型スクリーン部材１１８は、第１実施形態における透過型スクリーン部材１８を変形したものであり、同一部分には同一の符号を付して重複説明を省略する。
【００３１】
この透過型スクリーン部材１１８の本体部分１４０は、フレネルレンズシート４１と、レンチキュラレンズシート４２と、フロントパネル４３とを積層した構造となっているが、フレネルレンズシート４１の裏面側ではなく、表面側に反射防止膜１４１ａを有する。この反射防止膜１４１ａは、本体部分１４０のうち比較的拡大率の大きな上側部分で透過率が増加し、比較的拡大率の小さな下側部分で透過率が減少する。これにより、本体部分１４０の照度不均一が反射防止膜１４１ａによって打ち消され、透過型スクリーン部材１１８のホワイトレベルにおける照度分布を均一化することができる。この結果、透過型スクリーン部材１１８の表側では、輝度むらの少ない高画質の画像を投射・観察することができる。
【００３２】
なお、反射防止膜１４１ａの透過率は、フレネルレンズシート４１の射出側の光学面の傾斜角と裏面側から入射する像光の光学面における入射角とを考慮したものとなっており、結果的に透過型スクリーン部材１１８の正面側で均一なホワイトレベルを達成することができるようになっている。
【００３３】
〔第３実施形態〕
図７は、第３実施形態に係るプロジェクタにおける透過型スクリーン部材の構造を概念的に説明する断面図である。第３実施形態の透過型スクリーン部材２１８は、第１実施形態における透過型スクリーン部材１８を変形したものである。
【００３４】
この透過型スクリーン部材２１８の本体部分２４０は、フレネルレンズシート４１と、レンチキュラレンズシート４２と、フロントパネル４３とを積層した構造となっているが、フレネルレンズシート４１の裏面側ではなく、フロントパネル４３の表面側に反射防止膜２４１ａを有する。この反射防止膜２４１ａは、本体部分２４０のうち比較的拡大率の大きな上側部分で透過率が増加し、比較的拡大率の小さな下側部分で透過率が減少する。これにより、本体部分２４０の照度不均一が反射防止膜２４１ａによって打ち消され、透過型スクリーン部材２１８のホワイトレベルにおける照度分布を均一化することができる。この結果、透過型スクリーン部材２１８の表側では、輝度むらの少ない高画質の画像を投射・観察することができる。
【００３５】
なお、反射防止膜２４１ａの透過率は、フロントパネル４３の射出面に対する像光の裏面側からの入射角を考慮したものとなっており、結果的に透過型スクリーン部材２１８の正面側で均一なホワイトレベルを達成することができるようになっている。
【００３６】
以上実施形態に即して本発明を説明したが、本発明は、上記実施形態に限定されるものではない。例えば、プロジェクタ本体１４は、白色光源からの光源光を３色の照明光に分割して３つの液晶ライトバルブ２５ａ〜２５ｃをそれぞれ照明するものに限らない。すなわち、ＬＥＤ等の単色光を発生する各色の光源を個別に設け、これら光源からの各色の照明光を各色の液晶ライトバルブにてそれぞれ個別に変調する場合にも、上記実施形態のような透過型スクリーン部材１８，１１８，２１８を用いることで、隅々まで均一な明るさを達成した画像を得ることができる。
【００３７】
また、プロジェクタ本体１４として、白色光源からの光源光を色分割することなく単一のカラー表示型の液晶ライトバルブにそのまま入射させるものを組み込むこともできる。この場合も、上記実施形態のような透過型スクリーン部材１８，１１８，２１８を用いることで、隅々まで均一な明るさを達成した画像を得ることができる。
【図面の簡単な説明】
【００３８】
【図１】第１実施形態に係るプロジェクタの側面図である。
【図２】図１に示すプロジェクタ本体の構造を説明する図である。
【図３】（ａ）、（ｂ）は液晶ライトバルブの表示領域等を示す。
【図４】透過型スクリーン部材の構造を概念的に説明する断面図である。
【図５】透過型スクリーン部材に設けた反射防止膜の特性を説明するグラフである。
【図６】第２実施形態に係るプロジェクタを説明する図である。
【図７】第３実施形態に係るプロジェクタを説明する図である。
【符号の説明】
【００３９】
１０…プロジェクタ、    １４…プロジェクタ本体、    １６…反射ミラー、    １８…透過型スクリーン部材、    ２１…光源装置、    ２３…色分割光学系、    ２５…光変調部、    ２７…光合成光学系、    ２９…投射レンズ、    ４０…本体部分、    ４１…フレネルレンズシート、    ４２…レンチキュラレンズシート、    ４３…フロントパネル、    ４１ａ…反射防止膜
【図１】
2005106983.tif 000003
【図２】
2005106983.tif 000004
【図３】
2005106983.tif 000005
【図４】
2005106983.tif 000006
【図５】
2005106983.tif 000007
【図６】
2005106983.tif 000008
【図７】
2005106983.tif 000009